(57)【要約】【目的】容易に大当り決定の更新周期を規則性無く異ならせることができ、特定の遊技機に対する電源の供給及び停止の操作を遊技店の営業上有利な方法で行うことができる、遊技機の電源回路装置を提供する。【構成】特定のパチンコ遊技機２に対して商用電源２０を供給する接続部２４と、接続部２４による商用電源２０の供給または停止を手動操作する電源スイッチ３０とを備え、複数の電源スイッチ３０を集積したことにより、営業中に特定のパチンコ遊技機２に対する作業、タイムサービスを容易に行うことができ、手動操作のため、大当り決定の更新周期を規則性無く異ならせることが、専用設備を設けることなくでき、電源スイッチ３０を集積したため、店員は各遊技機の操作のために遊技者の邪魔をすることなく、また営業状況の把握も容易に行うことができる。【選択図】　　　　　図２
2004135717.tif 000002
【特許請求の範囲】
【請求項１】
複数の遊技機に対して電源を一括して供給する一括電源供給手段を備えた遊技機の電源回路装置において、
前記複数の遊技機のうち特定の単数または複数の遊技機に対して電源を供給する個別電源供給手段と、該個別電源供給手段による電源の供給または停止を手動で操作する複数の個別電源スイッチ手段と、を備え、
該複数の個別電源スイッチ手段を所定の単位に集積して構成したことを特徴とする遊技機の電源回路装置。
【請求項２】
前記個別電源スイッチ手段は、前記特定の単数または複数の遊技機の指標となる固有番号を、視認可能に表示する固有番号表示手段を備えたことを特徴とする請求項１記載の遊技機の電源回路装置。
【請求項３】
前記個別電源スイッチ手段は、前記特定の単数または複数の遊技機の作動態様を視認可能に表示する作動表示手段を備えたことを特徴とする請求項１または請求項２記載の遊技機の電源回路装置。
【請求項４】
前記個別電源スイッチ手段は、錠を備え、該錠と一対に構成される個別電源キー手段により操作されることを特徴とする請求項１乃至請求項３のいずれかに記載の遊技機の電源回路装置。
【請求項５】
前記個別電源スイッチ手段は、開閉自在のカバーを備えたことを特徴とする請求項１乃至請求項４のいずれかに記載の遊技機の電源回路装置。
【請求項６】
前記個別電源供給手段は、前記一括電源供給手段と接続するための一括電源供給接続手段と、トランスと接続するためのトランス接続手段と、前記個別電源スイッチ手段と接続するための個別電源スイッチ接続手段と、を備え、
前記一括電源供給接続手段と前記トランス接続手段は、相互に接続可能な形状に形成される一対の接続端子により構成されていることを特徴とする請求項１乃至請求項５のいずれかに記載の遊技機の電源回路装置。
【発明の詳細な説明】
【０００１】
【発明の属する技術分野】
本発明は、複数の遊技機に対して電源を一括して供給する一括電源供給手段を備えた遊技機の電源回路装置に関するものである。
【０００２】
【従来の技術】
従来、遊技島に設置された遊技機と、遊技島内部に設置される駆動機器に電源を供給する際に効率的な供給を行うために１つの電源供給系統毎に数台の遊技機がまとめられて接続されている。通常は接続に使用される電線径による制限から、１つの電源供給系統に遊技機は、６台程度を上限として接続されている。しかして、基電源からの電源はブレーカのオン・オフにより１つの遊技島への電源の供給及び供給停止を行うことができた。しかし、１つの電源供給系統の電源を投入すると同時に数台の遊技機の電源が投入されるため、同じ電源供給系統に接続される遊技機の大当たり決定の更新周期が同期してしまい、これを悪用して不正行為が行われることがあった。
【０００３】
このような問題を解決する方法として、複数の遊技機の全部が同時に電源オン動作された場合に遅延手段を起動し、相互に無関係な不規則性に基づき記憶された待機時間が経過した時に遅延手段が制御回路の制御動作を開始させることにより、大当たりの決定の更新周期を異ならせるものが提案されている（例えば、特許文献１参照）。
【０００４】
また、複数の遊技機の全部が同時に電源オン動作された場合に遅延手段を起動し、遊技機の遅延させる時間を設定できるものも提案されている（例えば、特許文献２参照）。
【０００５】
このように、上記従来例は、複数の遊技機に対する電源投入を同時に行いつつ、各遊技機への電源投入のタイミングをずらすことにより大当たり決定の更新周期を異ならせることを可能にするものであった。
【０００６】
【特許文献１】
特開２０００−０３７５０６号公報　（第３−６頁、第１図）
【特許文献２】
特開２００１−１９０８０９号公報　（第４−６頁、第１図）
【０００７】
【発明が解決しようとする課題】
このように、上記従来例は、複数の遊技機に対する電源投入を同時に行いつつ、各遊技機への電源投入のタイミングをずらすことにより大当たり決定の更新周期を異ならせることを可能にするものであった。
【０００８】
ところが、上記従来例は、特定の遊技機に対する電源の操作として、たとえば、遊技店が営業中に特定の遊技機１台のみの電源を供給または停止することはできない、という問題があった。
【０００９】
また、電源の供給または停止を行うブレーカは各遊技島中央の欄間位置にそれぞれ設けられているため、遊技店の店員がブレーカを操作する際に、遊技者にとっては店員が邪魔となり、また遊技店の店員にとっても電源の供給または停止を行う場合に必要な営業状況の把握が困難である、という問題があった。
【００１０】
さらに、大当り決定の更新周期を異ならせるために前記遅延手段等を新たに設けなければならない、という問題があった。
【００１１】
本発明は、上記した事情に鑑みなされたものでありその目的とするところは、容易に大当り決定の更新周期を規則性無く異ならせることができ、特定の遊技機に対する電源の供給または停止の操作を遊技店の営業上有利な方法で行うことができる、遊技機の電源回路装置を提供することにある。
【００１２】
【課題を解決するための手段】
上記した目的を達成するために、請求項１に記載の発明においては、複数の遊技機に対して電源を一括して供給する一括電源供給手段を備えた遊技機の電源回路装置において、前記複数の遊技機のうち特定の単数または複数の遊技機に対して電源を供給する個別電源供給手段と、該個別電源供給手段による電源の供給または停止を手動で操作する複数の個別電源スイッチ手段と、を備え、該複数の個別電源スイッチ手段を所定の単位に集積して構成したことを特徴とするものである。このように構成することにより、特定の遊技機に対する電源の供給または停止の操作が可能となるため、営業中（電源供給中）に不正行為や不具合が発生した場合、基板等の調査確認作業や修理交換作業を容易に行うことができ、また、営業中（電源供給中）の所定の時刻に、予め電源を停止しておいた特定（遊技者が遊技媒体を相対的に多く獲得可能な条件に設定された）な遊技機に電源投入するタイムサービスを容易に行うことができる。
【００１３】
また、特定の遊技機毎に電源の供給または停止の操作を手動で行うため、必然的に大当り決定の更新周期を規則性無く異ならせることが、専用の設備を設けることなく容易にできる。
【００１４】
また、複数の個別電源スイッチ手段を所定の単位に集積して構成したため、対象となる複数の遊技機に対して操作を行う場合、店員は各遊技機毎の操作のために店内を転々と移動する必要が無くなるため、遊技者の邪魔をすることなく、また営業状況の把握も容易に行うことができる。
【００１５】
また、当該配線系統から漏電が発生した、若しくは発生した恐れのある場合、全ての遊技機は各遊技機ごとに固有の個別電源スイッチ手段を備えるため、当該個別電源スイッチ手段に対してＯＮ／ＯＦＦの作業を順次繰り返すことで漏電箇所の特定を容易に行うことができる。
【００１６】
また、請求項２に記載の発明においては、前記個別電源スイッチ手段は、前記特定の単数または複数の遊技機の指標となる固有番号を、視認可能に表示する固有番号表示手段を備えたことを特徴とするものである。このように構成することにより、特定の遊技機において不正行為や不具合が発生した場合、基板等の調査確認作業や修理交換作業を行うべき対象となる遊技機を、視認可能に表示された固有番号により速やかに確定することができる。
【００１７】
また、請求項３に記載の発明においては、前記個別電源スイッチ手段は、前記特定の単数または複数の遊技機の作動態様を視認可能に表示する作動表示手段を備えたことを特徴とするものである。このように構成することにより、特定の遊技機において不正行為や不具合が発生した場合に行わなければならない、基板等の調査確認作業や修理交換作業の対象となる遊技機の作動態様を、視認可能に表示された作動表示手段の表示態様により容易に認識することができ、前記作動表示手段を備えた個別電源スイッチ手段の設置条件が前記作動表示手段の表示態様を視認するうえで多少悪くても容易に認識することができる。
【００１８】
また、請求項４に記載の発明においては、前記個別電源スイッチ手段は、錠を備え、該錠と一対に構成される個別電源キー手段により操作されることを特徴とするものである。このように構成することにより、前記鍵を所持しない者による操作を防止することができる。また、電源の供給または停止の操作時にのみ鍵を作用させ、それ以外の時には鍵が錠に対して作用を及ぼさない位置に保管することで、物の落下や操作時における誤操作等を原因とした電源の供給または停止等の遊技店の意に反した電源の供給または停止を防止することができる。
【００１９】
また、請求項５に記載の発明においては、前記個別電源スイッチ手段は、開閉自在のカバーを備えたことを特徴とするものである。このように構成することにより、電源の供給または停止の操作時にはカバーを開放し、それ以外の時にはカバーを閉成することで、物の落下や操作時における誤操作または埃の付着を原因とした、遊技店の意に反した電源の供給または停止を防止することができる。
【００２０】
更に、請求項６に記載の発明においては、前記個別電源供給手段は、前記一括電源供給手段と接続するための一括電源供給接続手段と、トランスと接続するためのトランス接続手段と、前記個別電源スイッチ手段と接続するための個別電源スイッチ接続手段と、を備え、前記一括電源供給接続手段と前記トランス接続手段は、相互に接続可能な形状に形成される一対の接続端子により構成されていることを特徴とするものである。このように構成することにより、電源と遊技機との間にトランスが介されている場合においても速やかに接続可能であると共に設置位置をトランスの前後いずれかに限定することなく接続することができるため、急に接続状態を変更する場合でも容易に対応することができる。
【００２１】
【発明の実施の形態】
以下、図面を参照して本発明の実施形態について説明する。なお、本実施形態においては、遊技機としてパチンコ遊技機２を例示して説明するが、遊技機としてスロットマシンや他の遊技機であってもよい。
【００２２】
先ず、図１を参照して本実施形態に係るパチンコ島台１の概略構成について説明する。図１は、本実施形態に係るパチンコ島台１の内部を示す側面図である。
【００２３】
パチンコ島台１は、周知のように、直方体状に枠組み構成され、その長手方向前後部側面に複数のパチンコ遊技機２（図２参照）を背向列設するようになっている。
【００２４】
また、パチンコ島台１のほぼ中央内部には、玉磨き揚送装置３が立設されている。本実施形態に係る玉磨き揚送装置３は、帯状の搬送ベルトによってパチンコ玉を揚送するものであり、その帯状の搬送ベルトがパチンコ島台１の長手方向と直交するように配置されて下部の導入樋３ａから導入したパチンコ玉を上部に研磨しながら揚送して上部の排出口３ｂから次に説明する上部タンク４に排出するものである。
【００２５】
玉磨き揚送装置３の上部には、揚送されたパチンコ玉を一時的に貯留する上部タンク４，５が設けられ、該上部タンク４，５からは、各パチンコ遊技機２にパチンコ玉を供給するための補給樋６が、パチンコ島台１の長手方向左右端部に向かって傾斜状に設けられている。玉磨き揚送装置３により揚送されたパチンコ玉は、まず上部タンク４（以下、上部主タンク４という）に誘導され、上部主タンク４につながる補給樋６及び上部タンク５（以下、上部従タンク５という）に振り分けられる。上部従タンク５に振り分けられたパチンコ玉は、上部従タンク５につながる補給樋６及び後述する移送樋３０に誘導される。上記した左右の補給樋６，上部主タンク４及び上部従タンク５にパチンコ玉が充満し、上部主タンク４がオーバーフロー状態になると、上部主タンク４でオーバーフローしたパチンコ玉は、上部主タンク４及び上部従タンク５の下方に設置される分岐箱７に誘導され、また、移送樋３０を介して他のパチンコ島台１から上部従タンク５に送られてくるパチンコ玉も同様に分岐箱７に誘導される。分岐箱７に誘導されたパチンコ玉は、まず、玉磨き揚送装置３の図示右側方に沿って形成される右オーバーフローダクト８に優先的に誘導され、右オーバーフローダクト８からパチンコ島台１の下部にある貯留タンク１６に誘導され、貯留されることとなる。貯留タンク１６がパチンコ玉によって充満し、右オーバーフローダクト８もパチンコ玉で充満されると、分岐箱７からのパチンコ玉は、玉磨き揚送装置３の図示左側方に沿って形成される左オーバーフローダクト９に誘導され、左オーバーフローダクト９からパチンコ島台１の下部にある補助タンク１０に誘導され貯留されることとなる。
【００２６】
一方、上記した補給樋６には、各パチンコ遊技機２にパチンコ玉を誘導する分配シュート１１が各パチンコ遊技機２に対応して設けられている。分配シュート１１によって取り込まれたパチンコ玉は、分配シュート１１の下方に位置する計数補給装置１２により玉数が計数された後、パチンコ遊技機２の背面上部に設けられた賞球タンク（図示しない）に供給され、景品玉や遊技玉として使用される。また、補給樋６の下流端まで流下してきたパチンコ玉を後述するアウト玉回収樋１３ａ，１３ｂに誘導することができるように構成されており、これによりパチンコ玉はパチンコ島台１内を循環している。
【００２７】
一方、パチンコ遊技機２から排出される使用済みのパチンコ玉（アウト玉）は、アウト玉回収ボックス１７で回収された後、下方に排出される。アウト玉回収ボックス１７から排出されたパチンコ玉は、パチンコ島台１の両端部からそのほぼ中央に立設される玉磨き揚送装置３の下部に向けて下り傾斜状に設けられるアウト玉回収樋１３ａ，１３ｂ上に落下せしめられる。
【００２８】
なお、アウト玉回収樋１３ａ，１３ｂは、各パチンコ遊技機２に対応して設けられたアウト玉回収ボックス１７に排出される使用済みのパチンコ玉（アウト玉）を回収するものであり、パチンコ島台１の幅方向中央の位置に長手方向に沿って敷設される誘導レールにより構成されるものである。図示の場合、玉磨き揚送装置３を挟んで右側の第１アウト玉回収樋１３ａの下流端は、中継タンク１４に接続され、玉磨き揚送装置３を挟んで左側の第２アウト玉回収樋１３ｂは、前記補助タンク１０に接続されている。なお補助タンク１０は、連結樋１５を介して貯留タンク１６に接続されている。
【００２９】
また、パチンコ遊技機２の下部には、パチンコ島台１に対してほぼ直交するように外側に向かってカウンター台（図示しない）が突設されている。該カウンター台には、玉箱（図示しない）が載置されるものであり、また、カウンター台の下方には、パチンコ島台１の下部外観を構成する腰板（図示しない）がパチンコ島台１に対して着脱自在に設置されている。この腰板に対応する位置のパチンコ島台１内部には、アウト玉回収樋１３が位置しているため、腰板を取り外すことにより、アウト玉回収樋１３のメンテナンスや玉詰まり等のトラブルに対する処置を容易に行うことができる。
【００３０】
なお、アウト玉回収樋１３は、アウト玉回収ボックスから排出されたパチンコ玉、玉抜き用分離機１８から蛇腹１９を介して導出されたパチンコ玉およびパチンコ島台１の島端に設置された玉係数器（図示しない）から返却されるパチンコ玉をまとめて回収するものであり、簀の子状の誘導レールがパチンコ島台１の中央に長手方向に沿って敷設することにより構成されている。このアウト玉回収樋１３は、簀の子状の誘導レールに限らず、ベルトコンベア等により構成されるものであってもよい。
【００３１】
パチンコ島台１の長手方向端部の上方には、玉磨き揚送装置３等のパチンコ島台１内に設置される複数の装置の状態を表示する島端表示ランプ（図示しない）が設置されており、上部タンク５の表面上方には、パチンコ島台１内のパチンコ玉がオーバーフロー状態であるとき等に点灯するフラッシュランプ（図示しない）が設置されている。
【００３２】
このように構成されるパチンコ島台１の電源供給方法について以下に説明する。図２は、パチンコ島台１の配線図であり、図３は、接続部２４の構成概略図であり、図４は、トランス２８の模式図であり、（Ａ）全体図、（Ｂ）拡大図であり、図５は、電源スイッチ装置２９の斜視図であり、図６は、電源スイッチ３０の拡大斜視図として（Ａ）押圧式の電源スイッチ３０、（Ｂ）電源操作鍵３１を用いた電源スイッチ３０であり、図７は、パチンコ島台１における電源スイッチ装置２９の設置箇所を示す概略図として（Ａ）電源スイッチ装置２９の設置例１、（Ｂ）電源スイッチ装置２９の設置例２である。
【００３３】
図２に示すように、本実施形態に係る遊技機の電源回路装置は、パチンコ島台１に設置された複数の遊技機としてのパチンコ遊技機２に対して、電源としての商用電源２０をブレーカ２１を介して一括して供給する一括電源供給手段としての主配線２２と、複数のパチンコ遊技機２のうち特定のパチンコ遊技機２に対して商用電源２０を供給する個別電源供給手段としての接続部２４と、接続部２４による商用電源２０の供給または停止を副配線２３を介して手動で操作する複数の個別電源スイッチ手段としての電源スイッチ３０と、電源スイッチ３０を所定の単位に集積して構成した電源スイッチ装置２９（図５参照）と、トランス２８（図４参照）で概ね構成されている。すなわち、図示する各パチンコ遊技機２毎に商用電源２０の供給または停止が可能となる。したがって、営業中等の全てのパチンコ遊技機２に商用電源２０を供給している場合に、全パチンコ遊技機２に対して商用電源２０を停止しなくても、特定のパチンコ遊技機２に限って商用電源２０を停止することが可能となる。また、特定のパチンコ遊技機２だけに予め商用電源２０を停止しておき、他のパチンコ遊技機２には商用電源２０を供給しておいた場合に、前記特定のパチンコ遊技機２に商用電源２０を供給することが可能であるため、タイムサービス等を容易に行うことが可能となる。さらに、開店時等に全てのパチンコ遊技機２に対して商用電源２０の供給を開始する場合、各パチンコ遊技機２毎に商用電源２０の供給操作を行うことで、大当りの決定の更新周期を異ならせることができ、しかも前記操作を手動で行うことにより、必然的に大当りの決定の各更新周期のあいだに規則性の無い条件を設定することができる。
【００３４】
なお、本実施形態に係るパチンコ遊技機２の電源回路装置において、商用電源２０は、パチンコ遊技機２に供給されると共に、図に示すようにパチンコ島台１に設置された駆動機器Ａ３２（玉磨き揚送装置３やコイン洗浄装置等）または駆動機器Ｂ３３（玉貸機等）にも供給されるものである。
【００３５】
さらに、本実施形態において、個別電源供給手段としての接続部２４が商用電源２０を供給する対象は、複数のパチンコ遊技機２のうちの特定のパチンコ遊技機２としたが、特定された複数のパチンコ遊技機２でもよい。
【００３６】
図３に示すように、特定のパチンコ遊技機２に対して商用電源２０を供給する前記個別電源供給手段としての接続部２４は、主配線２２と接続するための一括電源供給接続手段としての主配線接続部２５と、トランス２８と接続するためのトランス接続手段としてのトランス接続部２７と、副配線２３を介して電源スイッチ３０と接続するための個別電源スイッチ接続手段としての副配線接続部２６とで構成される。
【００３７】
さらに、主配線接続部２５とトランス接続部２７は、相互に接続可能な形状に形成される一対の接続端子により構成されている。すなわち、主配線接続部２５は、電源供給側に接続される凸形の端子を有し、トランス接続部２７は、主配線接続部２５の凸形の端子と同形状の端子が接続される凹型の端子を有し、相互に組み合わされて一対の接続状態を形成しうる規格で構成されている。したがって、実施例のように、商用電源２０とパチンコ遊技機２との間にトランスが介されている場合においても、速やかに接続可能である。
【００３８】
また、設置位置をトランスの前後いずれかに限定することなく接続することができるため、急に接続状態を変更する場合でも容易に対応することができるばかりではなく、さらに、接続位置をトランスの後とした場合には次のような効果も考えられる。すなわちブレーカ２１から分岐した主配線２２にトランス２８を接続し、トランス２８の後に接続部２４を設けた場合、トランス２８が複数の凹型の端子を有し且つトランス２８の供給可能な電気容量（Ａ）が複数のパチンコ遊技機２の駆動に必要な総電気容量（Ａ）より大きいときに限り、トランス２８に複数の接続部２４を設けることができ、１台のトランス２８で複数のパチンコ遊技機２を駆動させることが可能となると共に、特定のパチンコ遊技機２毎への商用電源２０の供給及び停止を行う機能も損なわれることはない。これにより、パチンコ島台１に設置するトランス２８の必要台数を減少させることができる。その結果、埃等の侵入を防止するために密閉されたパチンコ島台１内において、トランス２８の発熱による温度上昇を抑制することが可能となるため、パチンコ遊技機２の設置環境を向上させることができる。また、狭小なパチンコ島台１内において、不要なトランス２８の撤去後の空間を有効利用することが可能となるため、パチンコ島台１の外形寸法を大きくすること無く新たな装置を設けることができる。
【００３９】
本実施形態において、パチンコ遊技機２の電源回路装置の構成を商用電源２０の流れにしたがって説明すると、まず商用電源２０はブレーカ２１を介して主配線２２に供給され、主配線２２に供給された商用電源２０は主配線２２から接続部２４の主配線接続部２５を介して接続部２４に供給される。接続部２４は前記主配線接続部２５の他にトランス接続部２７と副配線接続部２６を備えており、接続部２４は副配線接続部２６を介して副配線２３に接続され、副配線２３は電源スイッチ３０と接続されている。電源スイッチ３０はブレーカ２１と共に上記電源回路の開閉を行うもので、前述のように商用電源２０が接続部２４まで供給される流れを説明したが、電源スイッチ３０とブレーカ２１がＯＮ状態の時にはじめて商用電源２０がパチンコ遊技機２に供給可能となるものである。したがって、電源スイッチ３０とブレーカ２１がＯＮ状態にあるとして、前に述べたところの主配線２２から主配線接続部２５を介して接続部２４に供給された前記商用電源２０は、トランス接続部２７を介してトランス２８に供給され、トランス２８で変圧されてパチンコ遊技機２に供給される。パチンコ遊技機２の電源回路装置は以上のように構成されるものである。
【００４０】
なお、上記したトランス２８とパチンコ遊技機２の接続は、パチンコ遊技機２に備えられたプラグ４０をトランス２８の後述するコンセント４１に挿入して行われる。この際、パチンコ遊技機２のプラグ４０がトランス２８のコンセント４１から抜けるのを防止する工夫がなされている。以下に、図４を参照してこのプラグ４０の抜け防止機構を説明する。
【００４１】
図４（Ａ）に示すように、トランス２８にはトランス接続部２７と接続されるプラグ３９と、パチンコ遊技機２、駆動機器Ａ３２、または駆動機器Ｂ３３のプラグ４０が接続されるコンセント４１が備えられている。このコンセント４１には前述したようにパチンコ遊技機２、駆動機器Ａ３２、または駆動機器Ｂ３３のプラグ４０が接続される。ところが、玉磨き揚送装置３の稼働時に発生する振動または補給樋６内をパチンコ玉が転動する際に発生する振動を原因として、あるいは、プラグ４０から伸びるコード４２が引っ張られることを原因として、コンセント４１に接続されたプラグ４０が抜けてしまう、という不具合が生じていた。そこで、トランス２次側のコンセント４１の下方に抜け防止用フック３８を設けることで、プラグ４０が抜けるのを防いでいる。図４（Ｂ）に示すように、抜け防止用フック３８はプラグ４０のコード４２をトランス２８に引き付けるように固定している。このように構成することにより、防止用フック３８は、これまで振動によりコンセント４１から徐々に抜けていたプラグ４０に対して、抜けようとする動きを抑制する力をコード４２を介して加えることができる。
【００４２】
また、同じく図４（Ｂ）に示すように、抜け防止用フック３８はプラグ４０のコード４２を一定の遊びを持たせて囲い込むように固定している。このように構成することにより、コード４２の可動範囲を狭くすること無く、しかもこれまでコンセント４１からプラグ４０を抜いてしまっていた引っ張り力がコード４２に加わったとしても、抜け防止用フック３８により引っ張り力が直接プラグ４０に加わることを防止している。また、プラグ４０に引っ張り力が間接的に加わったとしても、引っ張り力の加わる方向を、プラグ４０が最も抜け易い方向（水平方向）から抜け難い方向（斜め下方向）へ転換している。
【００４３】
すなわち、抜け防止用フック３８の上記した作用により、玉磨き揚送装置３や補給樋６から振動が伝播したり、コード４２に引っ張り力が加わったとしても、プラグ４０は抜け難くくなっているものである。
【００４４】
次に、本実施形態に係る電源スイッチ装置２９について、図５を参照して説明する。
【００４５】
電源スイッチ装置２９には、図５に示すようにパチンコ島台１に設置するパチンコ遊技機２及び駆動機器Ａ３２のそれぞれに対応する電源の供給または停止を行う前記個別電源スイッチ手段としての電源スイッチ３０が備えられ、パチンコ島台１に設置されるパチンコ遊技機２及び駆動機器Ａ３２に対し電源の供給または停止を操作できるようになっている。電源スイッチ装置２９について、図６を参照して詳述する。
【００４６】
図６は電源スイッチ装置２９を拡大した斜視図である。図に示すとおり電源スイッチ３０は、電源スイッチ装置２９に集積して設けられる。したがって、電源スイッチ３０により操作を行う対象となる遊技機が複数ある場合、店員は各遊技機の操作のために、店内を転々と移動する必要が無くなるため、遊技者の邪魔をすることなく、また営業状況の把握も行い易くなる。電源スイッチ３０は、特定のパチンコ遊技機２の指標となる固有番号としての表記された台番号（たとえば、台番号３１１）を、視認可能に表示する。これにより、電源の供給または停止を操作する対象となるパチンコ遊技機２を速やかに確定することが容易になり、特定のパチンコ遊技機２において不正行為や不具合が発生した場合、基板等の調査確認作業や修理交換作業を行うべき対象となるパチンコ遊技機２を、視認可能に表示された台番号により速やかに確定することができるものである。
【００４７】
また、図６（Ａ）に示すように、電源スイッチ装置２９に設けられる電源スイッチ３０内部にはランプ（図示しない）が設けられ、パチンコ遊技機２及び駆動機器Ａ３２の駆動状態を一目で確認できるようになっている。つまり、電源スイッチ３０は、特定のパチンコ遊技機２の作動態様を視認可能に表示する作動表示手段としてのランプを備えるものである。すなわち、電源スイッチ３０を操作していない状態（電源スイッチ３０がＯＦＦの状態）では内部に設けられたランプは消灯状態にあり、電源スイッチ３０を操作（電源スイッチをＯＮ）することにより内部に設けられたランプが点灯（図では台番号３１１）する。このようにすることで、ランプの点灯状態によりパチンコ遊技機２及び駆動機器Ａの駆動状態を確認しやすくしている。
【００４８】
たとえば、電源スイッチ３０を備えた電源スイッチ装置２９が、仮にパチンコ島台内のような採光条件の悪い場所に設置された場合や、パチンコ遊技機２等の駆動状態を確認しようとする者（店員等）から遠い位置にある場合でも、設置条件の好悪に拘らず、駆動状態を容易に視認することができるものである。
【００４９】
なお、図６（Ａ）で示すように、複数の電源スイッチ３０の内のひとつとして主電源のＯＮ／ＯＦＦを操作するスイッチが設けられる。このように構成することにより、遊技店の営業終了時における電源断を速やかに行うことができる。
【００５０】
なお、電源スイッチ３０は、図６（Ａ）で示すような形態のものでなくてもよく、例えば薄型のスイッチやスイッチ取付表面から内部に入り込んだ位置に操作部が設けられるものでもよい。つまり、スイッチ取付面から突出した部分がより少ないスイッチであればよい。このように構成することにより、物の落下や操作時における誤操作等を原因とした、遊技店の意に反した電源の供給または停止を防止することができる。
【００５１】
また、電源スイッチ３０は、電源スイッチ３０を複数備えた電源スイッチ装置２９に、開閉自在の電源スイッチカバー２９ａを備えている。これによって、電源の供給または停止の操作時にはカバーを開放し、それ以外の時にはカバーを閉成することで、物の落下や埃の付着を原因とした、遊技店の意に反した電源の供給または停止を防止することができる。
【００５２】
なお、電源スイッチカバー２９ａに施錠装置を設けてもよい。このように構成することにより、施錠装置の開錠手段を持たない者による電源スイッチ３０の操作を防止することができる。したがって、遊技者による悪戯等によって遊技店が害を被ること等を防止することができる。
【００５３】
なお、上記した図６（Ａ）に示す第１実施形態においては、電源スイッチ装置２９に電源スイッチ３０を設け、電源スイッチ３０を押圧することで電源の供給または停止を行うものを示したが、これに限らず電源の供給または停止を操作するものであればよい。例えば、第２実施形態として図６（Ｂ）に示すように、個別電源スイッチ手段としての電源スイッチ３４は、錠としての電源操作錠３５を備え、電源操作錠３５と一対に構成される個別電源キー手段としての電源操作鍵３１により操作されるものでもよい。すなわち、電源操作錠３５に電源操作鍵３１を挿入した上で回動させることにより電源の供給または停止を行う電源スイッチ３４であってもよい。このようにすることによって、電源操作鍵３１を所持しない者による操作を防止することができる。また、電源の供給または停止の操作時にのみ電源操作鍵３１を作用させ、それ以外の時には電源操作鍵３１が電源操作錠３５に対して作用を及ぼさない位置に保管することで、物の落下や操作時における誤操作等を原因とした電源の供給または停止等の遊技店の意に反した電源の供給または停止を防止することができるものである。
【００５４】
また、前記第１実施形態及び第２実施形態においては、電源スイッチ装置２９に設けられた電源スイッチ３０を操作することで電源の供給または停止を行うものを示したが、特定のパチンコ遊技機２への電源の供給または停止を手動で行えるものであれば、リモコン装置（図示しない）を設け電源の供給または停止を遠隔操作できるようにしてもよい。
【００５５】
また、電源スイッチ装置２９やブレーカ２１には、落雷による過電流防止用のサージアブソーバ等を落雷防止手段として内蔵させるようにしてもよい。このように構成することによって、落雷等で発生した過電流を原因とするパチンコ遊技機２の破損を防止することができる。
【００５６】
では、以上のような構成の電源スイッチ３０を備えた電源スイッチ装置２９に関して、当該電源スイッチ装置２９の設置個所として考えられる例を、図７を参照して説明する。
【００５７】
図７は、パチンコ島台１における電源スイッチ装置２９の設置箇所を示す概略図である。図７（Ａ）は、電源スイッチ装置２９の設置例１であり、図７（Ｂ）は、電源スイッチ装置２９の設置例２である。
【００５８】
前述したように、パチンコ島台１は複数のパチンコ遊技機２が長手方向前後部側面に背向列設される。そのほぼ中央内部には駆動機器Ａ３２（図１の説明では玉磨き揚送装置）が立設されている。さらに、パチンコ島台１のパチンコ遊技機２を備えた長手方向後部側面の中央部は開閉自在となっており、前記中央部を開放することで、駆動機器Ａ３２を操作できるようになっている。本実施形態における電源スイッチ装置２９は、図７（Ａ）に示すようにパチンコ島台１の長手方向後部側面（設置例１）又は、図７（Ｂ）に示すようにパチンコ島台１の長手方向端部一側面（設置例２）に設置される。このようにすることで、従来の欄間位置に設けられていたブレーカ２１を操作する際に生じていた遊技客の邪魔になるという問題を解決することができ、さらに遊技客の動きを見ながら電源の供給または停止を行うことができるものである。
【００５９】
以上、実施形態について説明してきたが、本実施形態においては、複数の遊技機としてのパチンコ遊技機２に対して電源としての商用電源２０を一括して供給する一括電源供給手段としての主配線２２を備えた遊技機としてのパチンコ遊技機２の電源回路装置において、前記複数のパチンコ遊技機２のうち特定の単数または複数のパチンコ遊技機２に対して商用電源２０を供給する個別電源供給手段としての接続部２４と、接続部２４による商用電源２０の供給または停止を手動で操作する複数の個別電源スイッチ手段としての電源スイッチ３０と、を備え、複数の電源スイッチ３０を所定の単位に集積して構成したことにより、特定のパチンコ遊技機２に対する商用電源２０の供給または停止の操作が可能となるため、営業中（電源供給中）に不正行為やパチンコ遊技機２の不具合が発生した場合、基板等の調査確認作業や修理交換作業を容易に行うことができ、また、営業中（電源供給中）の所定の時刻に、予め電源を停止しておいた特定（遊技者が遊技媒体を相対的に多く獲得可能な条件に設定された）なパチンコ遊技機２に電源投入するタイムサービスを容易に行うことができる。
【００６０】
また、特定のパチンコ遊技機２毎に商用電源２０の供給または停止の操作を手動で行うため、必然的に大当り決定の更新周期を規則性無く異ならせることが、専用の設備を設けることなく容易にできる。
【００６１】
また、複数の電源スイッチ３０を所定の単位に集積して構成したため、対象となる複数のパチンコ遊技機２に対して操作を行う場合、店員は各パチンコ遊技機２毎の操作のために店内を転々と移動する必要が無くなるため、遊技者の邪魔をすることなく、また営業状況の把握も容易に行うことができる。
【００６２】
また、当該配線系統から漏電が発生した、若しくは発生した恐れのある場合、全てのパチンコ遊技機は各パチンコ遊技機２ごとに固有の電源スイッチ３０を備えるため、当該電源スイッチ３０に対してＯＮ／ＯＦＦの作業を順次繰り返すことで漏電箇所の特定を容易に行うことができる。
【００６３】
また、電源スイッチ３０は、特定の単数または複数のパチンコ遊技機２の指標となる固有番号を、視認可能に表示する固有番号表示手段としての表記された台番号を備えたことにより、特定のパチンコ遊技機２において不正行為やパチンコ遊技機２の不具合が発生した場合、基板等の調査確認作業や修理交換作業を行うべき対象となるパチンコ遊技機２を、表記された台番号により速やかに確定することができる。
【００６４】
また、電源スイッチ３０は、特定の単数または複数のパチンコ遊技機２の作動態様を視認可能に表示する作動表示手段としてのランプを備えたことにより、特定のパチンコ遊技機２において不正行為や不具合が発生した場合に行わなければならない、基板等の調査確認作業や修理交換作業の対象となるパチンコ遊技機２の作動態様を、視認可能に表示されたランプの表示態様により容易に認識することができ、ランプを備えた電源スイッチ３０の設置条件がランプの表示態様を視認するうえで多少悪くても容易に認識することができる。
【００６５】
また、電源スイッチ３４は、錠としての電源操作錠３５を備え、電源操作錠３５と一対に構成される個別電源キー手段としての電源操作鍵３１により操作されることにより、鍵を所持しない者による操作を防止することができる。また、電源の供給または停止の操作時にのみ鍵を作用させ、それ以外の時には鍵が錠に対して作用を及ぼさない位置に保管することで、物の落下や操作時における誤操作等を原因とした電源の供給または停止等の遊技店の意に反した電源の供給または停止を防止することができる。
【００６６】
また、電源スイッチ３０は、開閉自在のカバーとしての電源スイッチカバー２９ａを備えたことにより、商用電源２０の供給または停止の操作時には電源スイッチカバー２９ａを開放し、それ以外の時には電源スイッチカバー２９ａを閉成することで、物の落下や操作時における誤操作または埃の付着を原因とした、遊技店の意に反した商用電源２０の供給または停止を防止することができる。
【００６７】
さらに、接続部２４は、主配線２２と接続するための一括電源供給接続手段としての主配線接続部２５と、トランス２８と接続するためのトランス接続手段としてのトランス接続部２７と、副配線２３を介して電源スイッチ３０と接続するための個別電源スイッチ接続手段としての副配線接続部２６と、を備え、主配線接続部２５とトランス接続部２７は、相互に接続可能な形状に形成される一対の接続端子により構成されていることにより、実施例のように商用電源２０とパチンコ遊技機２との間に、トランス２８が介されている場合においても速やかに接続可能であると共に設置位置をトランス２８の前後いずれかに限定することなく接続することができるため、急に接続状態を変更する場合でも容易に対応することができる。
【００６８】
【発明の効果】
以上、説明したところから明らかなように、請求項１の発明においては、特定の遊技機に対する電源の供給または停止の操作が可能となるため、営業中（電源供給中）に不正行為や不具合が発生した場合、基板等の調査確認作業や修理交換作業を容易に行うことができ、また、営業中（電源供給中）の所定の時刻に、予め電源を停止しておいた特定（遊技者が遊技媒体を相対的に多く獲得可能な条件に設定された）な遊技機に電源投入するタイムサービスを容易に行うことができる。
【００６９】
また、特定の遊技機毎に電源の供給または停止の操作を手動で行うため、必然的に大当り決定の更新周期を規則性無く異ならせることが、専用の設備を設けることなく容易にできる。
【００７０】
また、複数の個別電源スイッチ手段を所定の単位に集積して構成したため、対象となる複数の遊技機に対して操作を行う場合、店員は各遊技機毎の操作のために店内を転々と移動する必要が無くなるため、遊技者の邪魔をすることなく、また営業状況の把握も容易に行うことができる。
【００７１】
また、請求項２の発明においては、特定の遊技機において不正行為や不具合が発生した場合、基板等の調査確認作業や修理交換作業を行うべき対象となる遊技機を、視認可能に表示された固有番号により速やかに確定することができる。
【００７２】
また、請求項３の発明においては、特定の遊技機において不正行為や不具合が発生した場合に行わなければならない、基板等の調査確認作業や修理交換作業の対象となる遊技機の作動態様を、視認可能に表示された作動表示手段の表示態様により容易に認識することができ、前記作動表示手段を備えた個別電源スイッチ手段の設置条件が前記作動表示手段の表示態様を視認するうえで多少悪くても容易に認識することができる。
【００７３】
また、請求項４の発明においては、前記鍵を所持しない者による操作を防止することができる。また、電源の供給または停止の操作時にのみ鍵を作用させ、それ以外の時には鍵が錠に対して作用を及ぼさない位置に保管することで、物の落下や操作時における誤操作等を原因とした電源の供給または停止等の遊技店の意に反した電源の供給または停止を防止することができる。
【００７４】
また、請求項５の発明においては、電源の供給または停止の操作時にはカバーを開放し、それ以外の時にはカバーを閉成することで、物の落下や操作時における誤操作または埃の付着を原因とした、遊技店の意に反した電源の供給または停止を防止することができる。
【００７５】
また、請求項６の発明においては、電源と遊技機との間にトランスが介されている場合においても速やかに接続可能であると共に設置位置をトランスの前後いずれかに限定することなく接続することができるため、急に接続状態を変更する場合でも容易に対応することができる。
【図面の簡単な説明】
【図１】本発明の実施形態におけるパチンコ島台の内部を示す側面図である。
【図２】パチンコ島台の配線図である。
【図３】接続部の構成概略図である。
【図４】トランスの模式図である。
【図５】電源スイッチ装置の斜視図である。
【図６】電源スイッチの拡大斜視図として、（Ａ）押圧式の電源スイッチ、（Ｂ）電源操作鍵を用いた電源スイッチである。
【図７】パチンコ島台における電源スイッチ装置の設置箇所を示す概略図として（Ａ）電源スイッチ装置の設置例１、（Ｂ）電源スイッチ装置の設置例２である。
【符号の説明】
２　　パチンコ遊技機（遊技機）
２０　　商用電源（電源）
２１　　ブレーカ
２２　　主配線（一括電源供給手段）
２４　　接続部（個別電源供給手段）
２５　　主配線接続部（一括電源供給接続手段）
２６　　副配線接続部（個別電源スイッチ接続手段）
２７　　トランス接続部（トランス接続手段）
２８　　トランス
２９ａ　電源スイッチカバー（カバー）
３０　　電源スイッチ（個別電源スイッチ手段）
３１　　電源操作鍵（個別電源キー手段）
３４　　電源スイッチ（個別電源スイッチ手段）
３５　　電源操作錠（錠）
【図１】
2004135717.tif 000003
【図２】
2004135717.tif 000004
【図３】
2004135717.tif 000005
【図４】
2004135717.tif 000006
【図５】
2004135717.tif 000007
【図６】
2004135717.tif 000008
【図７】
2004135717.tif 000009